(57)【要約】【課題】衝突発生時にシートベルトのウェビングが乗員の腹部に食い込む現象を改善するための自動車のシートベルト用アンカープリテンショナーを提供する。【解決手段】自動車のシートベルト用アンカープリテンショナーは、シートベルトのウェビングの下端にそれぞれ連結される第１ワイヤー及び第２ワイヤーと、第１ワイヤーと第２ワイヤーの一端に結合されたピストンを有する駆動シリンダーと、ピストンの前進のためのガス圧を駆動シリンダーに供給するガス発生器と、ピストンの前進時に第１ワイヤーを車両の底面の傾斜方向に移動するように支持する第１ローラーと、ピストンの前進時に第２ワイヤーを下方に移動するように支持する第２ローラーと、を含んで構成され、車両の衝突発生時にピストンが前進することにより、シートベルトのウェビングを第１ワイヤーの移動方向に引っ張ると共に第１ワイヤーの移動方向の直角方向にも引っ張る。【選択図】図１
2014046914.tif 000002
【特許請求の範囲】
【請求項１】
シートベルトのウェビングの下端にそれぞれ連結される第１ワイヤー及び第２ワイヤーと、
前記第１ワイヤーと第２ワイヤーの一端に結合されたピストンを有する駆動シリンダーと、
前記ピストンの前進のためのガス圧を駆動シリンダーに供給するガス発生器と、
ピストンの前進時に前記第１ワイヤーを車両の底面の傾斜方向に移動するように支持する第１ローラーと、
ピストンの前進時に前記第２ワイヤーを下方に移動するように支持する第２ローラーと、を含んで構成され、
車両の衝突発生時に前記ピストンが前進することにより、シートベルトのウェビングを第１ワイヤーの移動方向に引っ張ると共に第１ワイヤーの移動方向の直角方向にも引っ張ることを特徴とする自動車のシートベルト用アンカープリテンショナー。
【請求項２】
前記駆動シリンダーには、ピストンの後進を防止するためのボールストッパーが設置されることを特徴とする請求項１に記載の自動車のシートベルト用アンカープリテンショナー。
【請求項３】
前記ガス発生器は、車両の衝突発生を認識するＡＣＵ（Ａｎｃｈｏｒ  ｐｒｅ−ｔｅｎｓｉｏｎｅｒ  Ｃｏｎｔｒｏｌ  Ｕｎｉｔ）の信号により爆発する火薬の爆発力を用いてピストンを移動させることを特徴とする請求項１に記載の自動車のシートベルト用アンカープリテンショナー。
【発明の詳細な説明】
【技術分野】
【０００１】
本発明は、自動車のシートベルト用アンカープリテンショナーに係り、より詳細には、衝突の発生時にシートベルトのウェビングが乗員の腹部に食い込む現象を改善するための自動車のシートベルト用アンカープリテンショナーに関する。
【背景技術】
【０００２】
通常、自動車には衝突事故など各種外部衝撃に備えて運転者及び搭乗者が傷害を負うことを防止するためにシートベルトあるいは安全ベルトが設けられている。このようなシートベルトは、自動車の衝突エネルギーにより単独で運転者及び搭乗者などの乗員を保護するが、エアーバック装置の助けを借りて乗員をさらに安全に保護する役割もする。
【０００３】
このようなシートベルトには、シートベルトを緩める習慣を有する乗員の安全を保障するために、リトラクタープリテンショナー（Ｒｅｔｒａｃｔｏｒ  ｐｒｅ−ｔｅｎｓｉｏｎｅｒ）以外に、シートベルトのウェビングの弛み（ｓｌａｃｋ）を除去する場合に効果的なアンカープリテンショナーが装着される。
【０００４】
シートベルト用アンカープリテンショナーは、自動車の衝突事故の発生時にシートベルトに所定の張力を加えてウェビングの弛み（ｓｌａｃｋ）を除去することにより、シートベルトの乗員初期拘束能力（Ｉｎｉｔｉａｌ  ｒｅｓｔｒａｉｎｔ  ａｂｉｌｉｔｙ）を向上させることで、乗員の衝突エネルギーを拘束装置（ｒｅｓｔｒａｉｎｔ  ｓｙｓｔｅｍ）が効率的に吸収するように助ける装置である。
【０００５】
このようなシートベルトを用いる場合、車両の衝突発生時にサブマリン（Ｓｕｂｍａｒｉｎｅ）現象が発生する。サブマリン現象とは、ダミーがシートベルトを基準として相対的に下方に移動する現象である。このようなサブマリン現象が発生する過程で様々な問題が発生するが、そのうち、ダミーの下方移動によりシートベルトのウェビングが相対的に上方移動して腹部に食い込む現象、すなわち、シートベルトのウェビングが腹部に食い込む現象がある。このようなシートベルトのウェビングが腹部に食い込む現象は、主に骨盤が小さく、腹部が低い５％ｉｌｅのダミー条件で発生する。
【０００６】
北米ＮＣＡＰは１１ＭＹ（ＭＯＤＥＬ  ＹＥＡＲ）車両による正面衝突試験時に５％ｉｌｅ女性ダミーを同乗席に着座して車両を評価しており、韓国では２０１３年から、ヨーロッパでは２０１５年からそれぞれ５％ｉｌｅ女性ダミーを同乗席に着座して車両を評価することにより、車両の安全性を強化しようとする。また、中国ではＮＣＡＰで２０１２年から後部座席に５％ｉｌｅのダミーを着座した条件で車両を評価しており、傷害だけでなくサブマリンが発生したか否かを点検して評価に反映している。
【０００７】
サブマリン現象による問題点であるシートベルトのウェビングが腹部に食い込む現象は、車両衝突時にシートベルトのウェビング部分が上方移動してダミーの骨盤から腹部部位に相対的に移動することにより、筋骨格のない腹部を圧迫して腹部圧迫量が過多発生する現象であるが、上記ウェビングが剛性の弱い腹部にずりあがることにより、骨盤拘束力を低下させてダミーの骨盤移動量を増加させ、それによってダミーの膝傷害を増加させるだけでなく、ダミーの上体挙動を不安定（Ｉｎｓｔａｂｉｌｉｔｙ）にして予測不能のダミー挙動を発生させ、実際現場での衝突事故時に腹部圧迫により乗員の腹部に腸破裂などの傷害を引き起こす虞がある。
【０００８】
上述のようなシートベルトのウェビングが腹部に食い込む現象を引き起こす主要因は、車両の車体加速度とピッチング角度（腹部に食い込む現象が多く発生する時点でのピッチング角度）、シートベルトのＡＰＴ（Ａｎｃｈｏｒ  ｐｒｅ−ｔｅｎｓｉｏｎｅｒ）交角とバックルの高さ、シートクッションの剛性などがある。
【０００９】
したがって、車両の衝突発生時にシートベルトのウェビングが腹部に食い込む現象を改善するためには、上記要因を改善しなければならないが、次のような問題がある。車両の車体加速度は、衝突時に車両に装着された加速度センサにより測定される値であり、車体構造、サッシ構造、エンジンの大きさなどの全体的な車両特性から影響を受けるが、その水準を変更すると、シートベルトのウェビングが腹部に食い込む現象を改善することができる。しかし、車両構造に大きな変化を要求するため、実際にシートベルトのウェビングが腹部に食い込む現象を改善しにくい。
【００１０】
車両のピッチング角度は、衝突時に車両の後方部が持ち上げられて回転する量であり、車体構造、サッシ構造、エンジンの大きさなどの全体的な車両特性から影響を受けるが、車両構造を改善することにより、シートベルトのウェビングが腹部に食い込む現象を一部改善することができる。しかし、改善時に車体の減加速度が悪化する問題がある。
【００１１】
シートベルトのＡＰＴ交角は、アンカープリテンショナーの装着位置とダミーとの間の相対的位置により決められるが、アンカープリテンショナーは、通常Ｂピラー（Ｐｉｌｌａｒ）のそばに配置して装着空間を確保しなければならないため、一度位置が決定されると、部品干渉で位置の移動が困難であり、ダミーは、室内パッケージにより装着位置が決定されるため、その位置を変更しにくい。
【００１２】
シートベルトのバックルの高さは、比較的変更が容易であるが、シートベルトのウェビングが腹部に食い込む現象を改善するためにバックルの高さを減らす場合、バックルの使い勝手が良くないなど、品質低下の虞がある。
【００１３】
また、シートクッションの剛性は、変更を適用しにくいだけでなく、クッションの剛性を増大させる場合、乗り心地が低下する問題がある。
【先行技術文献】
【特許文献】
【００１４】
【特許文献１】特開２００４−１３０９２０号公報
【発明の概要】
【発明が解決しようとする課題】
【００１５】
本発明は、シートベルトのウェビングが乗員の腹部に食い込む現象を改善するために考案したものであって、第１ワイヤーを用いてウェビングを車両の底面の傾斜方向に引っ張って拘束すると共に第２ワイヤーを用いてウェビングを下方に引っ張る拘束力を発生させて人為的にアンカープリテンショナーの交角を増加させることにより、シートベルトのウェビングが乗員の腹部に食い込むことを防止する自動車のシートベルト用アンカープリテンショナーを提供することにその目的がある。
【課題を解決するための手段】
【００１６】
上記目的を達成するための本発明による自動車のシートベルト用アンカープリテンショナーは、シートベルトのウェビングの下端にそれぞれ連結される第１ワイヤー及び第２ワイヤーと、前記第１ワイヤーと第２ワイヤーの一端に結合されたピストンを有する駆動シリンダーと、前記ピストンの前進のためのガス圧を駆動シリンダーに供給するガス発生器と、ピストンの前進時に前記第１ワイヤーを車両の底面の傾斜方向に移動するように支持する第１ローラーと、ピストンの前進時に前記第２ワイヤーを下方に移動するように支持する第２ローラーと、を含んで構成され、車両の衝突発生時に前記ピストンが前進することにより、シートベルトのウェビングを第１ワイヤーの移動方向に引っ張ると共に第１ワイヤーの移動方向の直角方向にも引っ張ることを特徴とする。好ましくは、前記駆動シリンダーには、ピストンの後進を防止するためのボールストッパーが設置構成され、前記ガス発生器は車両の衝突発生を認識するＡＣＵ（Ａｎｃｈｏｒ  ｐｒｅ−ｔｅｎｓｉｏｎｅｒ  Ｃｏｎｔｒｏｌ  Ｕｎｉｔ）の信号により爆発する火薬の爆発力を用いてピストンを移動させるように構成される。
【発明の効果】
【００１７】
本発明の自動車のシートベルト用アンカープリテンショナーによれば、車両の衝突発生時にウェビングの弛み（ｓｌａｃｋ）を除去してシートベルトの乗員拘束力を向上すると共に前記ウェビングを下方に引っ張って従来よりもアンカープリテンショナーの交角を増加させて乗員の腹部にウェビングが食い込む現象を改善することができる。したがって、本発明のシートベルト用アンカープリテンショナーは、車両の衝突事故発生時に乗員安全性を向上させ、また、車両衝突時の性能開発の効率性を増大させることができる。
【図面の簡単な説明】
【００１８】
【図１】本発明による自動車のシートベルト用アンカープリテンショナーの一例を概略的に示す構成図である。
【図２】本発明によるシートベルト用アンカープリテンショナーの作動形態を概略的に示す図面である。
【図３】交角が増加する場合、乗員の腹部に作用する力が減少することを概略的に示す図面である。
【図４】車両の衝突試験時、シートベルトのウェビングがダミーを拘束する荷重を示すグラフである。
【図５】車両の衝突試験時、シートベルトのウェビングがダミーの右側大腿に作用する荷重を示すグラフである。
【発明を実施するための形態】
【００１９】
以下、添付した図面を参照して本発明の好ましい実施形態について詳細に説明する。本発明は、従来、シートベルトのウェビングの下端部を車両の底面に固定して支持するアンカー部（アンカープリテンショナーを装着していない場合、ウェビングの下端部を車両の底面に固定して支持する部分）の位置に装着されるシートベルト用アンカープリテンショナーに関するもので、作動時にアンカープリテンショナーの交角（以下、交角）を増加させてシートベルトのウェビングが乗員の腹部に食い込む現象を改善することを主な特徴とする。本発明では、車両の衝突発生時に２つのワイヤーを用いてウェビングを車両の底面に対して斜めに傾いた方向に引っ張ると共に下方に引っ張って拘束することにより、作動時に意図的に交角を増加させてシートベルトのウェビングが乗員の腹部に食い込むことを防止する。
【００２０】
図１に示したように、本実施形態によるシートベルト用アンカープリテンショナー１００は、自動車のシートベルトのウェビング２００の下端に連結されてウェビング２００を引っ張るように構成されたもので、ウェビング２００の下端に連結される第１ワイヤー１１０と第２ワイヤー１２０、第１及び第２ワイヤー１１０、１２０の一端に一体に結合されたピストン１３２を有する駆動シリンダー１３０、第１ワイヤー１１０を車両の底面の傾斜方向に移動するように支持する第１ローラー１４０、及び第２ワイヤー１２０を車両の下方に移動するように支持する第２ローラー１５０を含んで構成される。
【００２１】
第１ワイヤー１１０と第２ワイヤー１２０は、それぞれウェビング２００の下端とピストン１３２との間に連結されてピストン１３２の前進移動時にウェビング２００を引っ張るもので、一端がピストン１３２に結合された形態で駆動シリンダー１３０内に設置される。
【００２２】
駆動シリンダー１３０は、密閉型のシリンダー１３１、このシリンダー１３１内に線形移動可能に設置されるピストン１３２、このピストン１３２の後進移動を防止するためのボールストッパー１３３からなる。
【００２３】
シリンダー１３１の後端にはピストン１３２の前進移動のためのガス圧を形成して供給するガス発生器１６０が連結構成される。
【００２４】
ガス発生器１６０は、ＡＣＵ（Ａｎｃｈｏｒ  ｐｒｅ−ｔｅｎｓｉｏｎｅｒ  Ｃｏｎｔｒｏｌ  Ｕｎｉｔ）の信号により作動するもので、車両の衝突発生を認識するＡＣＵの点火（ｆｉｒｉｎｇ）信号により爆発する火薬の爆発力を用いてガス圧を形成し、形成されたガス圧でピストン１３２を前進移動させる。
【００２５】
例えば、ＡＣＵは、車両の衝突を感知する衝突感知センサから衝突信号を受信して車両の衝突発生を認識する。
【００２６】
一例として、ガス発生器１６０は、ＡＣＵに連結された発火剤により爆発してガス圧を生成する火薬、この火薬を貯蔵する火薬貯蔵部１６２、及び火薬貯蔵部１６２を収容しているベースカートリッジ１６１で構成されており、ベースカートリッジ１６１は、火薬の爆発時に生成されるガス圧の流動のための中空部１６３を有し、シリンダー１３１にガスの移動が可能なように連結されることにより、火薬の爆発時に発生する多量のガスと熱量などで生成されたガス圧をピストン１３２及びシリンダー１３１内に供給してピストン１３２の前進移動を可能にする。
【００２７】
このようにアンカープリテンショナー１００が作動してピストン１３２が前進移動し、シートベルトのウェビング２００が引っ張られると、ウェビング２００の弛み（ｓｌａｃｋ）が除去され、初期拘束力が向上してダミーの骨盤移動を減少させるようになり、結局、膝傷害の低減及び上体挙動の安定性を確保することができる。
【００２８】
ボールストッパー１３３は、ピストン１３２の傾斜面とシリンダー１３１の内周面に外接して設置される。このボールストッパー１３３は、ピストン１３２の前進移動時にはピストン１３２と共に移動し、ピストン１３２の後進移動時にはピストン１３２の傾斜面とシリンダー１３１の内周面との間に挟まれてピストン１３２の後進移動を防止することにより、ワイヤー１１０，１２０の逆引っ張りを防止する。
【００２９】
第１ローラー１４０と第２ローラー１５０は、それぞれ第１マウンティングブラケット１４１と第２マウンティングブラケット１５１によりシリンダー１３１の外側に回転可能に装着構成される。
【００３０】
駆動シリンダー１３０の一側に装着されるに当たって、第１ローラー１４０は、第１ワイヤー１１０の移動経路を車両の底面の傾斜方向に誘導して形成するための位置に配置され、第２ローラー１５０は、第２ワイヤー１２０の移動経路を車両の下方に誘導して形成するための位置に配置される。
【００３１】
図１に示すように、第１ローラー１４０は駆動シリンダー１３０の後端に配置され、第１ワイヤー１１０はこのような第１ローラー１４０により支持されて車両の底面に対して斜めに傾いた方向に移動経路を形成することにより、車両の衝突発生時にウェビング２００を引っ張ってウェビングの弛み（ｓｌａｃｋ）を除去することができる。
【００３２】
第２ローラー１５０はベースカートリッジ１６１あるいは駆動シリンダー１３０の上端に配置され、第２ワイヤー１２０はこのような第２ローラー１５０により支持されて車両の下方に移動経路を形成することにより、車両の衝突発生時にウェビング２００を引っ張ってウェビングが既存よりも相対的に下方に移動するようにして乗員の腹部に食い込むことを防止することができる。
【００３３】
具体的には、第２ワイヤー１２０を引っ張る時にウェビング２００に作用する力の一部が第１ワイヤー１１０の引張方向の直角方向にウェビングを拘束するように（あるいは引っ張るように）なり、図２に示すように、シートベルトのウェビング２００が第１ワイヤー１１０により傾斜方向に引っ張られると共に第２ワイヤー１２０により下方に引っ張られて第１ローラー１４０を基準として回転移動し、結果的に交角が増加する効果が得られる。
【００３４】
図３に示すように、交角が増加する場合、腹部に作用するウェビングの拘束力（あるいは荷重）が減少してウェビングが乗員の腹部に食い込むことを防止することができる。
【００３５】
ここで、第２ワイヤー１２０は第２ローラー１５０により支持されて移動方向を転換し、その後、第１ローラー１４０により支持されて駆動シリンダー１３０側に誘導されて第１ワイヤー１１０と共にピストン１３２に結合される。
【００３６】
また、第１ワイヤー１１０と第２ワイヤー１２０は、それぞれ長手方向に圧縮及び復元可能な第１コルゲートホース１１１と第２コルゲートホース１２１内に配置され、コルゲートホース１１１、１２１の上端にワイヤー１１０、１２０の一端とウェビング２００の下端が同時に結合されるリンク部１７０が構成されることにより、ワイヤー１１０、１２０と共にウェビング２００が引っ張られるようになる。
【００３７】
第１ローラー１４０は、第１マウンティングブラケット１４１とその後方に配置される補助マウンティングブラケット１４２との間に回転可能に装着され、第１コルゲートホース１１１は、補助マウンティングブラケット１４２の上端に載置して固定される。また、第２コルゲートホース１２１は、ベースカートリッジ１６１あるいはシリンダー１３１の上端に載置して固定される。
【００３８】
第１コルゲートホース１１１と第２コルゲートホース１２１は、リンク部１７０に同時に結合されるが、相互干渉がないように左右あるいは前後の両側に配置される。
【００３９】
さらに、図２に示す「Ａ」部分は、本実施形態のアンカープリテンショナー１００で第２ワイヤー１２０を排除する場合、アンカープリテンショナーの作動形態を示すもので、第２ワイヤー１２０により下方に引っ張られる力が作用しないため、本実施形態の交角増加の効果を得ることができない。
【００４０】
上記のように構成される本実施形態のシートベルト用アンカープリテンショナーは、作動時に交角が増加することにより、車体の減加速度、乗り心地などの他の性能の低下及び構造干渉を引き起こすことなく、シートベルトが腹部に食い込む現象を改善することができる。
【００４１】
一方、交角の増加による効果を確認するために、従来のアンカープリテンショナーと本実施形態のアンカープリテンショナーを用いて、車両の衝突時、シートベルトのウェビングの拘束力とウェビングが腹部に食い込む現象の発生時点、太股及び膝に加えられる荷重などを測定した結果、図４、図５、及び下記表１のような結果が得られた。
【００４２】
この際、従来のシートベルト用アンカープリテンショナーは、１つのワイヤーを用いてシートベルトのウェビングを車両の底面の傾斜方向にだけ引っ張って拘束するアンカープリテンショナーを用いた。
【００４３】
【表１】
2014046914.tif 000003
【００４４】
図４、図５、及び表１に示すように、本実施形態のアンカープリテンショナーを適用した場合、従来のアンカープリテンショナーを適用した場合に比して、腹部に食い込む現象の発生時点が遅く、太股及び膝に作用する荷重が減少し、上体挙動が安定的であることを確認することができた。
【００４５】
通常、車両の衝突時にシートベルトのウェビングが腹部に食い込む時点が遅いほどダミーに及ぼす影響が小さく、６５ｍｓｅｃ以後に腹部に食い込む現象の発生すると、ウェビングのダミーへの影響は微々たるものである。
【００４６】
したがって、アンカープリテンショナーの交角が増加することにより、シートベルトのウェビングが乗員に及ぼす影響、特に、乗員の腹部に作用する力が顕著に減少することが分かる。
【００４７】
図４は、車両の衝突試験時、シートベルトのウェビングがダミーを拘束する荷重を示すグラフであり、図５は、車両の衝突試験時、シートベルトのウェビングがダミーの右側大腿に作用する荷重を測定して示すグラフである。
【００４８】
以上、本発明の一実施形態に対して詳細に説明したが、本発明の権利範囲は上述した実施形態に限定されることはなく、特許請求の範囲で定義する本発明の基本概念を用いた当業者の様々な変形及び改良形態も本発明の権利範囲に含まれる。
【符号の説明】
【００４９】
１００  アンカープリテンショナー
１１０  第１ワイヤー
１１１  第１コルゲートホース
１２０  第２ワイヤー
１２１  第２コルゲートホース
１３０  駆動シリンダー
１３１  シリンダー
１３２  ピストン
１３３  ボールストッパー
１４０  第１ローラー
１４１  第１マウンティングブラケット
１４２  補助マウンティングブラケット
１５０  第２ローラー
１５１  第２マウンティングブラケット
１６０  ガス発生器
１６１  ベースカートリッジ
１６２  火薬貯蔵部
１６３  中空部
１７０  リンク部
２００  シートベルトのウェビング
【図１】
2014046914.tif 000004
【図２】
2014046914.tif 000005
【図３】
2014046914.tif 000006
【図４】
2014046914.tif 000007
【図５】
2014046914.tif 000008